(57)【要約】【課題】  大きな津波が押し寄せて来た場合に避難することが出来る津波避難用のタワーの提供。【解決手段】  基台１から支柱２，２・・・を起立し、この支柱２，２・・・の上端部には人を収容できる浮遊体３を取付け、押し寄せて来た津波の水位が高くなった時には該浮遊体３は浮上してタワーから分離することが出来るようにしている。【選択図】    図１
2013238094.tif 000002
【特許請求の範囲】
【請求項１】
大きな津波が押し寄せて来た場合に避難することが出来る津波避難用のタワーであって、複数本の支柱を起立し、このタワーの上端部には人を収容できる浮遊体を載置し、押し寄せて来た津波の水位が高くなった時には該浮遊体は浮上して該タワーから分離することが出来るようにしたことを特徴とする浮遊体を備えた津波避難用タワー。
【請求項２】
上記浮遊体をロープ又は鎖などの連結手段によって繋いだ請求項１記載の浮遊体を備えた津波避難用タワー。
【請求項３】
大きな津波が押し寄せて来た場合に避難することが出来る津波避難用のタワーの上端に取付けられる浮遊体であって、該浮遊体は底部の周りに側部を起立した容器で人を収容出来、垂直に起立した支柱の上端部に取付けられ、押し寄せて来た津波によって浮上して支柱から分離することが出来るようにしたことを特徴とする津波避難用タワー上端に取付けられる浮遊体。
【発明の詳細な説明】
【技術分野】
【０００１】
本発明は想定外の大きな津波が押し寄せて来た時に浮遊することが出来る浮遊体を備えた津波避難用タワーに関するものである。
【背景技術】
【０００２】
２０１１年３月１１日に東北地方の太平洋側沖合に発生した大地震によって大きな津波が起き、この津波によって太平洋側沿岸では多くの人の命が失われた。高台へ逃げることが出来た人は助かったが、住宅の二階に留まった人は家ごと流されてしまい、またビルの屋上へ逃げた人も津波が屋上を越えたことで流されて命を失った人も多い。
【０００３】
このように、予想を超えた大きな津波が押し寄せた場合、高台へ逃げることが一番安全であるが、老人、身体障害者、また子供にとって短時間に高台まで避難することは困難である。今回の東北大地震の場合、地震発生から津波が押し寄せるまでの時間は約３０分しかなく、家から高台までの距離が遠い場合、避難場所に高台を選ぶことは出来ない人も多い。
【０００４】
そこで、大きな津波が発生した際に避難することが出来る津波タワーなるものが従来から知られている。
例えば、特開２００６−８３５４９号に係る「津波避難用タワー」は、津波発生時、タワー上に住民が避難しやすいようにしたものである。そこで、地盤Ｇ上に複数本の金属製支柱を設置し、前記支柱同士を横枠で連結した構造体に予想津波高さ以上の床面と安全柵を設けて、その床面上に避難時に活用するための各種避難用設備を設けたものである。
【０００５】
特開２００８−１４１３１号に係る「津波避難用タワー」は、津波発生時に、そのタワーに設けた設備により住民の避難活動が手助けされ、また、そのタワー上に住民を避難しやすいようにした津波避難用タワーである。そこで、地盤Ｇ上に複数本設置された金属製支柱同士を横枠で連結してなる構造体は、道路Ｒに交差する方向に跨って設けられ、その構造体に予想津波高さ以上の位置において避難が予想される人員を収容し得る面積を有する床面と、その床面の周囲端部の安全柵とを設けるとともに、前記支柱、横枠及び床面は、それぞれ直下の車道上に道路建築限界に相当する空間を確保し得る位置に設けられ、前記地盤Ｇから床面に至る昇降設備を設けるとともに、前記床面上に、避難時に活用するための避難用設備を設けている。
【０００６】
特開２００６−３２２３０１号に係る「浸水対応建築物とその建造方法」は、津波や台風高潮が発生しても建物が浮上して、浸水しない浸水対応建築物。そこで、大部分が地中に埋設された基礎上面に、浮体の気中重量を支える強度を備えた台座を設けると共に台座の上へ浮体を乗せ置き、台座と台座の間に台座より低いリフトジャッキを導入可能なメンテ通路を形成している。そして、浮体と上記基礎の間に浮体の浸水による浮力で浮体は鉛直上方にのみ浮上するが、水平方向流動を阻止するアンカー装置を備えている。
【０００７】
【特許文献１】特開２００６−８３５４９号に係る「津波避難用タワー」
【特許文献２】特開２００８−１４１３１号に係る「津波避難用タワー」
【特許文献３】特開２００６−３２２３０１号に係る「浸水対応建築物とその建造方法」
【発明の開示】
【発明が解決しようとする課題】
【０００８】
このように、大きな津波が押し寄せてきた場合に避難する為のタワーは知られている。従って、遠く離れた高台まで逃げなくても避難用タワーへ上ることで津波から身を守ることは可能である。しかし、この避難用タワーであっても、予想を超える大きな津波であれば、上段に設けた床面も浸水する虞がある。勿論、さらに高い避難用タワーを設置すれば何ら問題はないが、何時発生するか分からない津波に対して、余りにも高い避難用タワーを設置することはコスト面に大きな課題が残り、しかも老人や身体障害者の場合、高い避難用タワーを階段で上がることは出来なくなる。
【０００９】
上記特開２００６−３２２３０１号に係る「浸水対応建築物とその構造方法」の場合も同じである。すなわち、浸水と共に上昇する浮体をガイドする支柱を高くしなくてはならない。
本発明が解決しようとする課題はこの問題点であり、子供、老人、身体障害者であっても上ることが出来るように避難タワーを必要以上に高くすることなく、そして予想を超えた大きな津波が押し寄せてきた場合にも対応出来るようにした津波非難用タワー及び避難用タワーの上端に取付ける浮遊体を提供する。
【課題を解決するための手段】
【００１０】
本発明に係る津波避難用タワーは昇降用の階段を有し、タワー上端には浮遊体を備えている。該浮遊体は避難用タワーの上端に拘束され、そして津波が押し寄せて来た場合、上記浮遊体は拘束が解除されて浸水することなく浮上し、さらに水位が上るならば非難用タワーから分離する。該浮遊体は複数の人を乗せることが出来る大きな容器で構成され、底部とその周囲に起立する側部から成っている。ここで、浮遊体は浮遊する為に軽くて頑丈な構造が必要であるが、その具体的な材質、構造並びに形態に関しては限定しない。
【００１１】
そして、タワーには昇降用の階段を取付けて上記浮遊体に上ることが出来るようにし、該浮遊体の側部には入口扉を開閉可能に取付ける場合もあり、入口扉を閉じた状態で水の侵入を防止する構造とすることが出来る。勿論、入口扉を設けることなく側部を越えて浮遊体の内部に入ることが出来るようにしてもよい。ところで、浮遊体は水面に浮いた状態で津波と共に流されることになるが、所定の領域から流されないように避難用タワーと浮遊体とはロープ又はクサリなどの連結手段を介して繋がれている。
【発明の効果】
【００１２】
本発明に係る津波避難用タワーはその上端に浮遊体を備え、津波が押し寄せてきた場合には、避難用タワーを上って浮遊体の内部へ入ることが出来る。浮遊体は複数人を収容することが出来る大きな容器であって、大きな津波が押し寄せて来て水位が上った場合、浮遊体は浸水することなく上昇し、非難用タワーから分離して浮遊することが出来る。
【００１３】
従って、避難用タワーの高さを必要以上に高くしなくても、押し寄せてくる津波の水位に対応して浮上出来、その為に製作コスト及び設置コストは安くなる。一方、避難用タワーはそれ程高くする必要がない為に、子供、老人、身体障害者であっても比較的容易に階段を上って浮遊体に入ることが出来る。浮遊体は押し寄せてきた津波と共に浮上して流されるが、ロープなどで避難用タワーと繋がれているならば、遠くに流されることはない。
【図面の簡単な説明】
【００１４】
【図１】浮遊体を備えた津波避難用タワーの正面図。
【図２】浮遊体を備えた津波避難用タワーの平面図。
【図３】浮遊体を備えた津波避難用タワーの側面図。
【図４】浮遊体の取付け構造を示す他の実施例。
【図５】浮遊体を示す具体例。
【図６】浮遊体の取付け構造を示す更なる別の実施例。
【発明を実施するための形態】
【００１５】
図１、図２、図３は本発明に係る浮遊体を備えた津波避難用タワーを示す実施例で、図１は正面図、図２は平面図、図３は側面図をそれぞれ表している。同図の１は基台、２は支柱、３は浮遊体、４は階段を表し、基台１から４本の支柱２，２・・・が垂直に起立している。基台１は地中に埋められると共に地盤に打ち込んだ杭５，５・・・にて支持され、大きな津波が押し寄せてきた場合にも支柱２，２・・・が倒れないように支えることが出来るように設置されている。
【００１６】
そして、各支柱２，２・・・の上端部には上記浮遊体３が取付けられている。該浮遊体３は大きな容器であって、正方形の底部８の周囲から側部９が起立し、底部８の各コーナー部には軸受け１０，１０・・・を取着している。この軸受け１０の軸穴には支柱上端部が嵌っているが、軸受け１０の四方にガイドローラ１１，１１・・・が回転自在に軸支され、支柱上端部の外側面はこれらガイドローラ１１，１１・・・と接している。
【００１７】
従って、浮遊体３は軸受け１０，１０・・・のガイドローラ１１，１１・・・を介して垂直に起立した４本の支柱２，２・・・に沿って昇降動することが出来る。ただし、所定の位置から降下しないように各支柱２，２・・・の上端部には支持部が固定されている。従って、大きな津波が押し寄せて来て、水位が上昇するならば、浮遊体３は支柱２，２・・・に沿って上昇し、さらに水位が上昇すると軸受け１０，１０・・・は支柱上端から外れて浮遊体３は水面に浮かぶことが出来る。
【００１８】
支柱２，２・・・から外れた軸受け１０，１０・・・には大きな軸穴が存在し、この軸穴から水が侵入する場合もある。勿論、図１、図２、図３に示す浮遊体３の側部９は柵で構成され、また水位が底部８を越えるならば水は侵入するが、沈むことはないように設計されている。ここで、軸受け１０の軸穴からの水の侵入を防止する為には、軸受け１０，１０・・・の上端に蓋を備えることが出来る。浮遊体３が浮いた状態では水面が軸受け１０,１０・・・まで達しないように設計されているが、浮遊体３が傾いた場合には軸受け１０，１０・・・の軸穴から水が入り込む為に、これを防止する手段として蓋をして軸穴を塞ぐようにしている。蓋は該軸受け１０，１０・・・に蝶番を介して開閉出来るように取付けておく。
【００１９】
図４は浮遊体３を支柱上端に取付けた別形態を示している。この実施例では支柱２，２・・・の上端に浮遊体３が載置された状態で取付けられている。すなわち、底部８のコーナー部には軸受け１２，１２・・・を設けていて、支柱２の上端は軸受け１２の軸穴１５に嵌ると共に、上端部１３が該支柱上端に当接して浮遊体３は支えられて落下することはない。そして、側部９は前記実施例の浮遊体３のような隙間のある柵ではなく、水が入らない密閉構造としている。
【００２０】
そして、軸受け１２の上端部１３からボルト１４を支柱上端に設けたネジ穴に螺合して浮遊体３を固定している。すなわち、津波が発生しない場合には、浮遊体３が強風で浮上しないようにボルト締めされ、津波が押し寄せて水位が上ったところで、ボルト１４，１４・・・を取外すならば、該浮遊体３は水位の上昇と共に浮上することが出来る。そして、支柱上端から離れたところで、上端部１３のネジ穴に再びボルト１４を螺合してネジ穴を塞ぐことが出来る。
【００２１】
図５は図４に示した浮遊体３を示す具体例である。該浮遊体３は正方形の底部８を有す容器であって、底部８には下方へ突出した浮体部７を形成し、水面に浮いた場合の大きな浮力となる。そして、該浮体部７を底中央に設けることで、水面に浮かんだ浮遊体３が傾いた場合に転覆しないように、浮力の中心は重心より上方に位置している。
【００２２】
そこで、避難して浮遊体３に入った人は上記浮体部７の空間に降りて、浮遊体全体の重心を下方に位置させることが出来る。勿論、浮体部７の底に重りを取着することで重心を下方に位置させることも可能であるが、多くの人を収容する為には大きな浮力を得ることが必要であり、避難して収容される人を重りの代わりとする方が効果的である。
【００２３】
ところで、同図に示すように底部８のコーナー部には下方を開口して軸穴１５，１５・・・を形成した軸受け１２，１２・・・を設けている。この軸穴１５，１５・・・には上述したように４本の支柱２，２・・・の上端が嵌って浮遊体３を位置決め拘束することが出来る。軸穴１５は下方を開口しているが、上端は塞がった上端部１３と成っている為に、軸穴１５に嵌った支柱上端はこの軸穴１５の上端部１３に当たって浮遊体３を支柱上端に支えることが出来る。そして、上端部１３には支柱上端と連結する為のネジ穴１６を有している。上記浮遊体３は多くの人を収容しても沈むことがない浮力が必要であり、その為に材質は軽くてしかも頑丈なものが用いられている。
【００２４】
本発明では、この浮遊体３の材質は限定しないが、例えばアルミ合金、又は強度的に高い特殊なプラスチックを材質として使用することが出来、さらには発泡スチロールやゴム製とすることもある。特に、支柱上端が嵌って浮遊体全体を支える場合、軸受け１２の上端部１３には大きな荷重が作用することから、軸受け１２はスチール製とする方がよい。浮遊体３は底部８の周囲に側部９を起立した大きな容器を構成しており、水面に浮いた場合、一般には水が侵入しないように成っている。ネジ穴１６は浮遊体３が水面に浮上したところで、ボルト１４を螺合して閉じることが出来る。ただし、仮に多少の水は侵入しても沈まない構造であればよい。
【００２５】
ところで、浮遊体３の形態及びその構造は図１、図２、図３、及び図４、図５に限るものではなく、支柱の上端に支持部材を取付け、この支持部材に浮遊体３を載置して取付けることが出来る。図６は浮遊体３の取付け構造の一部を示す他の実施例である。支柱２の上端には支持部材１７を取着し、この支持部材１７に浮遊体３が載置される。この支持部材１７は受け板１８と側板１９を有し、該受け板１８に浮遊体３の底部８が載り、浮遊体３の側部９は側板１９に接して位置決めされる。
【００２６】
ここで、側板１９の横断面はＬ形として浮遊体３のコーナー部を位置決めすることが出来る。そして、図４に示した実施例の場合と同じく、支持部材１７に載置された浮遊体３が強風によって浮上しないように、ボルト締めすることは必要である。ところで、津波が押し寄せて水位が上昇するならば、浮遊体３は支持部材１７から離れて浮上することが出来る。
【００２７】
ところで、図１に示しているように、本発明の避難用タワーは支柱２，２からは支持アーム６，６・・・を水平に延ばし、この支持アーム６，６・・・に階段４を取付けている。階段４は上記浮遊体３へ上る為に３段構造と成っている。従って、浮遊体３の高さは一般の住宅の２階より高く、屋根に相当する高さと成っている。その為に、２０１１年３月１１日に発生した津波であれば、浮遊体３を超える大きさであるが、本発明では該浮遊体３は浮上して支柱２，２・・・から分離することが出来る。
【００２８】
すなわち、支柱２，２・・・の上端部に支持されている浮遊体３は大きな津波によって水位が上昇するならば、浮力が発生して浮き上がり、該支柱２，２・・・の上端から外れる。このような避難タワーを所々に設置するならば、遠く離れた高台へ逃げることなく、避難用タワー上端に取付けてある浮遊体３に入ることで、予想しない大きな津波であっても命を失うことはない。
【符号の説明】
【００２９】
１   基台
２   支柱
３   浮遊体
４   階段
５   杭
６   支持アーム
７   浮体部
８   底部
９   側部
10   軸受け
11   ガイドローラ
12   軸受け
13   上端部
14   ボルト
15   軸穴
16   ネジ穴
17   支持部材
18   受け板
19   側板
【図１】
2013238094.tif 000003
【図２】
2013238094.tif 000004
【図３】
2013238094.tif 000005
【図４】
2013238094.tif 000006
【図５】
2013238094.tif 000007
【図６】
2013238094.tif 000008